(57)【特許請求の範囲】
【請求項１】
透析処置を実施するための透析装置に結合された処置表示画面にオブジェクトを表示するための、コンピュータが実施する方法であって、
コンピュータが、
前記オブジェクトの第１配置を前記処置表示画面に提示することであって、前記オブジェクトの状態が、前記処置表示画面において、前記透析装置のユーザが前記オブジェクトを移動させることによる前記オブジェクトの表示位置の変更が禁止された固定状態にあることと、
前記処置表示画面の再配置モードをアクティブ化することであって、前記固定状態から、前記ユーザが前記オブジェクトを前記第１配置から第２配置へ移動させることによる前記オブジェクトの表示位置の変更が許容された流動状態へ、前記オブジェクトの状態を変更することと、
前記再配置モードでの操作中に前記透析処置が実施されるのを防止することと、
前記再配置モードでの操作中に前記第２配置を前記処置表示画面に提示することと、
を実行することを特徴とする方法。
【請求項２】
前記再配置モードのアクティブ化が、前記処置表示画面の電子キーボードにより入力された独自のキー順またはコードに基づいて実行される、請求項１の方法。
【請求項３】
前記透析処置の実施の防止が、前記処置表示画面に表示される処置クロックボタンの始動を防止することを包含する、請求項１の方法。
【請求項４】
コンピュータが、
前記透析処置の実施を検出することと、
前記透析処置の実施の検出に応じて、前記オブジェクトが前記固定状態から前記流動状態へ移行するのを防止することと、
をさらに実行することを特徴とする請求項１の方法。
【請求項５】
前記透析処置の実施の検出が前記透析装置で血液を検出することを含む、請求項４の方法。
【請求項６】
前記透析処置の実施の検出が、前記処置表示画面に表示される処置クロックボタンのアクティブ化を検出することを含む、請求項４の方法。
【請求項７】
コンピュータが、さらに、前記再配置モードでの操作中に、
前記オブジェクトが前記処置表示画面の現在場所に残存している非アクティブ期間を決定することと、
前記非アクティブ期間に応じて前記オブジェクトを前記固定状態に置くことと、
を実行することを特徴とする請求項１の方法。
【請求項８】
コンピュータが、さらに、
前記第２配置に関連するデータを記憶することと、
前記第２配置に関連する前記データを含む設定オプションである一組の設定オプションを表示することと、
前記設定オプションから一つの設定オプションを選択することと、
を実行することを特徴とする請求項１の方法。
【請求項９】
前記透析処置を実施する機械の電力関係条件、前記透析処置の初期化、および前記処置表示画面に表示される処置クロックボタンのアクティブ化のうち少なくとも一つに応じて、前記設定オプションが表示される、請求項８の方法。
【請求項１０】
前記一組の設定オプションがデフォルト設定を含む、請求項８の方法。
【請求項１１】
コンピュータが、さらに、前記第２配置に関連する前記データを含む前記設定オプションを、最近使用の設定として特定することと、
を実行することを特徴とする請求項８の方法。
【請求項１２】
前記第２配置を前記処置表示画面に提示することが、
前記流動状態の第１オブジェクトが第２オブジェクトの上に位置決めされると決定することと、
サブ画面ボタンにより特定されるオブジェクトレポジトリを生成することと、
前記第１オブジェクトと前記第２オブジェクトとを前記オブジェクトレポジトリに置くことと、
を包含する、請求項１の方法。
【請求項１３】
前記第２配置を前記処置表示画面に提示することが、
前記第１配置の第１オブジェクトを前記処置表示画面の第１場所から前記処置表示画面の第２場所へ移動させることと、
前記第２場所の第２オブジェクトを別の場所へ位置変更することと、
を包含する、請求項１の方法。
【請求項１４】
前記第２場所の前記第２オブジェクトを別の場所へ位置変更することが、前記第２場所の前記第２オブジェクトを前記第２場所の近傍の場所へ位置変更することを包含する、請求項１３の方法。
【請求項１５】
前記第１オブジェクトと前記第２オブジェクトとが交換される、請求項１４の方法。
【請求項１６】
コンピュータが、さらに、
複数の縦列と複数の横列とを包含する表示マトリクスである前記処置表示画面の表示マトリクスに前記オブジェクトを割り当てることと、
前記第１場所と前記第２場所とが位置決めされる前記表示マトリクスの縦列および横列を決定することであって、前記第１オブジェクトの移動が前記第１場所に空所を形成することを含み、前記第１場所に隣接するオブジェクトを前記第１場所へ移動させることにより前記第１場所の前記空所が除去されることと、
を実行することを特徴とする請求項１４の方法。
【請求項１７】
前記第１場所の前記縦列の左に位置する前記第２場所の前記縦列へ前記第１オブジェクトが移動され、前記第２オブジェクトが前記処置表示画面の右方向に移動される、請求項１６の方法。
【請求項１８】
前記第１場所の前記縦列の右に位置する前記第２場所の前記縦列へ前記第１オブジェクトが移動され、前記第２オブジェクトが前記処置表示画面の左方向に移動される、請求項１６の方法。
【請求項１９】
前記第１場所の前記縦列の上に位置する前記第２場所の前記横列へ前記第１オブジェクトが移動され、前記第２オブジェクトが前記処置表示画面の下方向に移動される、請求項１６の方法。
【請求項２０】
前記第１場所の前記縦列の下に位置する前記第２場所の前記横列へ前記第１オブジェクトが移動され、前記第２オブジェクトが前記処置表示画面の上方向に移動される、請求項１６の方法。
【請求項２１】
コンピュータが、さらに、前記第２配置の前記オブジェクトを前記処置表示画面へ提示した後で、
前記第２配置の前記オブジェクトを前記流動状態から固定状態へ移行させることと、
前記処置の実施を許可することと、
を実行することを特徴とする請求項１の方法。
【請求項２２】
透析装置の処置表示画面に表示されたオブジェクトを再配置するための、コンピュータが実施する方法であって、
コンピュータが、
前記処置表示画面において、前記透析装置のユーザが前記オブジェクトを移動させることによる前記オブジェクトの表示位置の変更が禁止された固定状態を有する前記オブジェクトを表示することと、
透析処置を中断することと、
前記オブジェクトの状態を前記固定状態から、前記ユーザが前記オブジェクトを移動させることによる前記オブジェクトの表示位置の変更が許容された流動状態に変更することと、
前記処置表示画面において、前記流動状態の前記オブジェクトを移動させて、当該オブジェクトの表示位置を変更することと、
前記オブジェクトの再配置の後に再配置された前記オブジェクトを前記流動状態から前記固定状態へ移行させることと、
を実行することを特徴とする方法。
【請求項２３】
前記透析処置の中断が、前記処置表示画面に表示される処置クロックボタンの始動を防止することを包含する、請求項２２の方法。
【請求項２４】
前記流動状態に前記オブジェクトを置くことが、前記処置表示画面の電子キーボードにより入力された独自のキー順またはコードに基づいて実行される、請求項２３の方法。
【請求項２５】
前記処置表示画面が透析システムとの電子通信状態にあり、さらに、コンピュータが、
透析処置の実施を検出することと、
前記透析処置の実施の検出に応じて前記オブジェクトが前記流動状態に入るのを防止することと、
を実行することを特徴とする請求項２２の方法。
【請求項２６】
前記透析処置の実施の検出は前記透析システムで血液を検出することを含む、請求項２５の方法。
【請求項２７】
前記透析処置の実施の検出は前記処置表示画面に表示される処置クロックボタンのアクティブ化を検出することを含む、請求項２５の方法。
【請求項２８】
コンピュータが、さらに、
前記オブジェクトが前記処置表示画面の現在場所に残存している非アクティブ期間を決定することと、
前記非アクティブ期間に応じて前記オブジェクトを前記固定状態に置くことと、
を実行することを特徴とする請求項２２の方法。
【請求項２９】
コンピュータが、さらに、
前記オブジェクトに関連するデータを記憶することと、
前記オブジェクトに関係する前記データを含む設定オプションである一組の設定オプションを表示することと、
前記設定オプションから一つの設定オプションを選択することと、
を実行することを特徴とする請求項２２の方法。
【請求項３０】
前記透析処置を実施する機械の電力関連条件、前記透析処置の初期化、前記処置表示画面に表示される処置クロックボタンのアクティブ化のうち少なくとも一つに応じて、前記設定オプションが表示される、請求項２９の方法。
【請求項３１】
前記一組の設定オプションがデフォルト設定を含む、請求項２９の方法。
【請求項３２】
コンピュータが、さらに、再配置された前記オブジェクトに関連する前記データを含む前記設定オプションを、最近使用の設定として特定することと、
を実行することを特徴とする請求項２９の方法。
【請求項３３】
前記処置表示画面に前記オブジェクトを再配置することが、
前記流動状態の第１オブジェクトが第２オブジェクトの上に位置決めされると決定することと、
サブ画面ボタンにより特定されるオブジェクトレポジトリを生成することと、
前記第１オブジェクトと前記第２オブジェクトとを前記オブジェクトレポジトリに置くことと、
を包含する、請求項２２の方法。
【請求項３４】
前記処置表示画面に前記オブジェクトを再配置することが、
前記処置表示画面の第１場所から前記処置表示画面の第２場所へ第１オブジェクトを移動させることと、
前記第２場所の第２オブジェクトを別の場所へ位置変更することと、
を包含する、請求項２２の方法。
【請求項３５】
前記第２場所の前記第２オブジェクトを別の場所へ位置変更することが、前記第２場所の前記第２オブジェクトを前記第２場所の近傍の場所へ位置変更することを包含する、請求項３４の方法。
【請求項３６】
前記第１オブジェクトと前記第２オブジェクトとが交換される、請求項３４の方法。
【発明の詳細な説明】
【背景技術】
【０００１】
人の腎臓による血液からの毒素および老廃物の濾過が不充分である腎不全に関連する病状に対する処置を行うための血液透析機械は、周知である。血液透析手順の間に、血液は、患者から除去されて、血液透析機械と関連する透析器へ出力される。患者の血液は、体外回路（ＥＣＣ）と呼ばれる透析器の半透膜の片側を循環する。透析液は、透析液システムにより提供され、透析液回路と呼ばれる膜の反対側に沿って透析液システムと血液透析機械との間を流れて、老廃物、毒素、および他の不要な生成物を血液から除去する。再生型透析システムにおいて、使用済み透析液は、一定した清浄な透析液の流れが透析器へ供給されるように老廃物を除去することにより透析液を精製する透析液システムの吸着剤カートリッジを通って圧送される。非再生型透析システムでは、使用済み透析液は廃棄される。
【０００２】
血液透析機械は一般的に、様々な計器と、センサと、ＥＣＣおよび透析液回路に配置されて安全重視パラメータのアレイを監視するとともに、透析手順の前または間に発生する異変を検出する他の事象検出監視システムとを含む。安全重視パラメータは、血液および透析液の流量、温度、静脈および動脈圧、そして透析液導電性を含みうるが、これらに限定されるわけではない。パラメータ関連の情報は、血液透析機械との通信状態にある制御パネルで受信され、制御パネルモニタ、タッチスクリーン、または他のディスプレイに、文字、図形、その他として提示される。パラメータ、あるいは、静的または離散オブジェクト、例えば、データボタン、キー、ウィンドウ、アイコン、棒グラフ、図表、その他として表示されるグラフィカルユーザインタフェース（ＧＵＩ）オブジェクトの形での関連情報で満たされた一組の画面、ウィンドウ、その他が、ディスプレイに提示されうる。画面タイプの一つは、透析手順の前または間に操作者が処置パラメータを設定および監視することを可能にする処置表示画面である。各処置表示画面の固定場所にパラメータボタンと他の静的オブジェクトとが配置される。静的な処置表示画面設定は、操作中に透析機械の効率を維持して透析手順を受けている患者に安全な環境を提供するために設けられる。
【先行技術文献】
【特許文献】
【０００３】
【特許文献１】米国特許出願番号第１３／２９９，７９０号
【発明の概要】
【課題を解決するための手段】
【０００４】
一態様によれば、処置を実施するための装置に結合された処置表示画面にオブジェクトを表示するためのコンピュータ実装方法が提供される。この方法は、第１オブジェクト配置を処置表示画面に提示して、第１オブジェクト配置のオブジェクトが処置表示画面で固定状態にあることと、処置表示画面の再配置操作モードをアクティブ化して、第１オブジェクト配置のオブジェクトが、固定状態から、第１オブジェクト配置と異なる第２オブジェクト配置へ第１オブジェクト配置のオブジェクトが再配置されることを可能にする流動状態へ変更されることと、再配置モードでの操作中に処置が実施されるのを防止することと、再配置モードでの操作中に第２オブジェクト配置を処置表示画面に提示することと、を包含する。
【０００５】
一実施形態において、処置は透析関連手順を含む。
【０００６】
一実施形態において、再配置操作モードのアクティブ化は、独自キー順を生成することを包含する。
【０００７】
一実施形態において、処置の実施を防止することは、処置表示画面に表示された処置クロックボタンの始動を防止することを包含する。
【０００８】
一実施形態において、装置は透析システムを含み、方法はさらに、処置関連事象を検出することと、処置関連事象の検出に応じて第１オブジェクト配置が固定状態から流動状態へ移行するのを防止することとを包含する。
【０００９】
一実施形態において、処置関連事象の検出は透析システムで血液を検出することを含む。
【００１０】
一実施形態において、処置関連事象の検出は、処置表示画面に表示された処置クロックボタンのアクティブ化を検出することを含む。
【００１１】
一実施形態において、方法はさらに、再配置モードでの操作中に、処置表示画面の現在場所にオブジェクトが残存している非アクティブ期間を決定することと、非アクティブ期間に応じてオブジェクトを固定状態に置くこととを包含する。
【００１２】
一実施形態において、方法はさらに、第２オブジェクト配置に関連するデータを記憶することと、第２オブジェクト配置に関連する記憶データを含む設定オプションである一組の設定オプションを表示することと、設定オプションから一つの設定オプションを選択することとを包含する。
【００１３】
一実施形態において、設定オプションは、処置を実施する機械の電力関連条件と、処置の初期化と、処置表示画面に表示された処置クロックボタンのアクティブ化のうち少なくとも一つに応じて表示される。
【００１４】
一実施形態において、一組の設定オプションはデフォルト設定を含む。
【００１５】
一実施形態において、方法はさらに、第２オブジェクト配置に関連する記憶データを含む設定オプションを最近使用の設定として特定することを包含する。
【００１６】
一実施形態において、第２オブジェクト配置を処置表示画面に提示することは、流動状態の第１オブジェクトが第２オブジェクトの上に位置決めされると決定することと、サブ画面ボタンにより特定されるオブジェクトレポジトリを生成することと、第１オブジェクトと第２オブジェクトとをオブジェクトレポジトリに設置することとを包含する。
【００１７】
一実施形態において、第２オブジェクト配置を処置表示画面に提示することは、第１オブジェクト配置の第１オブジェクトを処置表示画面の第１場所から処置表示画面の第２場所へ移動させることと、第２場所の第２オブジェクトを別の場所へ位置変更することとを包含する。
【００１８】
一実施形態において、第２場所の第２オブジェクトを別の場所へ位置変更することは、第２場所の第２オブジェクトを第２場所の近傍の位置へ位置変更することを包含する。
【００１９】
一実施形態では、第１オブジェクトと第２オブジェクトとが交換される。
【００２０】
一実施形態において、コンピュータ実装方法はさらに、複数の縦列と複数の横列とを包含する表示マトリクスである処置表示画面の表示マトリクスにオブジェクトを割り当てることと、第１場所と第２場所とが位置する表示マトリクスの縦列および横列を決定することとを包含し、第１オブジェクトの移動は、第１場所に空所を形成することを含み、第１場所に隣接するオブジェクトを第１場所に移動させることにより、第１場所の空所が除去される。
【００２１】
一実施形態において、第１オブジェクトは、第１場所の縦列の左に位置する第２場所の縦列へ移動され、第２オブジェクトは処置表示画面の右方向に移動する。
【００２２】
一実施形態において、第１オブジェクトは、第１場所の縦列の右に位置する第２場所の縦列へ移動され、第２オブジェクトは処置表示画面の左方向に移動される。
【００２３】
一実施形態において、第１オブジェクトは、第１場所の縦列の上に位置する第２場所の横列へ移動され、第２オブジェクトは処置表示画面の下方向に移動される。
【００２４】
一実施形態において、第１オブジェクトは、第１場所の縦列の下に位置する第２場所の横列へ移動され、第２オブジェクトは処置表示画面の上方向に移動される。
【００２５】
一実施形態において、第２オブジェクト配置を処置表示画面に提示した後で、第２オブジェクト配置を流動状態から固定状態へ移行させることと、処置の実施を許可すること。
【００２６】
別の態様によれば、処置表示画面に表示されるオブジェクトを再配置するためのコンピュータ実装方法が提供される。この方法は、固定状態を有するオブジェクトを表示することと、医療処置を中断することと、オブジェクトを流動状態に置くことと、処置表示画面でオブジェクトを再配置することと、オブジェクトを再配置した後に再配置オブジェクトを流動状態から固定状態へ移行させることとを包含する。
【００２７】
一実施形態において、医療処置は透析関連手順を含む。
【００２８】
一実施形態において、医療処置の中断は、処置表示画面に表示された処置クロックボタンの始動を防止することを包含する。
【００２９】
一実施形態において、オブジェクトを流動状態に置くことは、独自キー順を生成することを包含する。
【００３０】
一実施形態において、処置表示画面は透析システムとの電子通信状態にあり、方法はさらに、処置関連事象を検出することと、処置関連事象の検出に応じてオブジェクトが流動状態に入るのを防止することとを包含する。
【００３１】
一実施形態において、処置関連事象の検出は、透析システムで血液を検出することを含む。
【００３２】
一実施形態において、処置関連事象の検出は、処置表示画面に表示された処置クロックボタンのアクティブ化を検出することを含む。
【００３３】
一実施形態において、方法はさらに、オブジェクトが処置表示画面の現在場所に残存している非アクティブ期間を決定することと、アクティブ期間に応じてオブジェクトを固定状態に置くこととを包含する。
【００３４】
一実施形態において、方法はさらに、オブジェクトに関連するデータを記憶することと、オブジェクトに関連する記憶データを含む設定オプションである一組の設定オプションを表示することと、設定オプションから一つの設定オプションを選択することとを包含する。
【００３５】
一実施形態において、医療処置を実施する機械の電力関連条件と、医療処置の初期化と、処置表示画面に表示された処置クロックボタンのアクティブ化とのうち少なくとも一つに応じて、設定オプションが表示される。
【００３６】
一実施形態において、一組の設定オプションはデフォルト設定を含む。
【００３７】
一実施形態において、方法はさらに、再配置オブジェクトに関連する記憶データを含む設定オプションを最近使用の設定として特定することを包含する。
【００３８】
一実施形態において、処置表示画面でオブジェクトを再配置することは、流動状態の第１オブジェクトが第２オブジェクトの上に位置決めされると決定することと、サブ画面ボタンにより特定されるオブジェクトレポジトリを生成することと、第１オブジェクトと第２オブジェクトとをオブジェクトレポジトリに設置することとを包含する。
【００３９】
一実施形態において、処置表示画面でオブジェクトを再配置することは、処置表示画面の第１場所から処置表示画面の第２場所へ第１オブジェクトを移動させることと、第２場所の第２オブジェクトを別の場所へ位置変更することとを包含する。
【００４０】
一実施形態において、第２場所の第２オブジェクトを別の場所へ位置変更することは、第２場所の第２オブジェクトを第２場所の近傍の場所へ位置変更することを包含する。
【００４１】
一実施形態では、第１オブジェクトと第２オブジェクトとが交換される。
【００４２】
別の態様によれば、処置表示画面は、再配置可能な一組のオブジェクトと処置クロックボタンとを包含する。オブジェクトは、医療処置の間は固定状態を有する。オブジェクトは、処置表示画面でのオブジェクトの再配置の間には流動状態を有する。処置クロックボタンは、医療処置のアクティブ化を制御する。流動状態でのオブジェクトの提示の間は処置クロックボタンが非アクティブ化される。
【００４３】
一実施形態において、流動状態でのオブジェクトの提示の後で、処置クロックボタンがアクティブ化され、オブジェクトは流動状態から固定状態へ移行し、医療処置の実施が許可される。
【００４４】
一実施形態において、オブジェクトは、データボタン、キー、ウィンドウ、アイコン、棒グラフ、図表、または以上の組み合わせを含むグラフィカルユーザインタフェース（ＧＵＩ）オブジェクトを含む。
【００４５】
一実施形態において、処置表示画面はさらに、処置クロックボタンを非アクティブ化する独自のキー順を入力するための電子キーボードを包含する。
【００４６】
一実施形態において、処置表示画面はさらに、サブ画面ボタンと、サブ画面ボタンにより特定されるオブジェクトレポジトリとを包含し、サブ画面ボタンは、再配置中に第２オブジェクトの上に位置決めされる第１オブジェクトに応じて処置表示画面に表示され、第１オブジェクトと第２オブジェクトとはオブジェクトレポジトリに位置決めされる。
【００４７】
別の態様によれば、処置表示画面に表示された複数のオブジェクトを再配置するためのコンピュータ実装方法が提供される。この方法は、複数のオブジェクトを固定状態から流動状態へ移行させることと、複数のオブジェクトのうちの第１オブジェクトを処置表示画面の第１場所から処置表示画面の第２場所へ移動させることと、処置表示画面の第２場所の第２オブジェクトの上または近くに第１オブジェクトを位置決めすることと、処置表示画面の第１オブジェクトおよび第２オブジェクトを処置表示画面の第２場所のサブ画面ボタンと置換することと、サブ画面ボタンの選択に応じて、第１オブジェクトおよび第２オブジェクトの少なくとも一方を処置表示画面の第２場所に再表示することと、を包含する。
【００４８】
別の態様によれば、処置表示画面に表示された複数のオブジェクトを再配置するための表示オブジェクト設定システムが提供される。表示オブジェクト設定システムは、オブジェクト状態決定モジュールと、オブジェクト状態修正モジュールと、キー順プロセッサとを包含する。オブジェクト状態決定モジュールは、処置表示画面で設定配置を有する複数のオブジェクトの状態を決定する。状態は、固定状態と流動状態の一方である。オブジェクト状態修正モジュールは、処置表示画面の再配置操作モードをアクティブ化して、複数のオブジェクトの状態を、固定状態から、オブジェクトの再配置を可能にする流動状態へ変更する。キー順プロセッサは、再配置操作モード中に、処置が実施されるのを防止するため処置クロックを非アクティブ化する。
【００４９】
一実施形態において、表示オブジェクト設定システムはさらに、設定配置を記憶する設定レポジトリを包含する。
【００５０】
一実施形態において、設定レポジトリは、複数のオブジェクトの他の設定配置を記憶する。
【００５１】
一実施形態において、表示オブジェクト設定システムはさらに、オブジェクトが処置表示画面の現在場所に残存している非アクティブ期間を決定し、非活動期間に応じてオブジェクトを固定状態に置くタイムアウト非アクティブモジュールを包含する。
【００５２】
一実施形態において、表示オブジェクト設定システムはさらに、サブ画面ボタンと、サブ画面ボタンにより特定されるオブジェクトレポジトリとを提供するサブ画面オブジェクトジェネレータを包含し、サブ画面ボタンは、再配置操作モード中に第２オブジェクトの上に位置決めされる第１オブジェクトに応じて処置表示画面に表示され、第１オブジェクトと第２オブジェクトとはオブジェクトレポジトリに位置決めされる。
【００５３】
別の態様では、処置を実施するための装置に結合された処置表示画面にオブジェクトを表示するためのコンピュータプログラム製品が提供される。コンピュータプログラム製品は、コンピュータ読取可能プログラムコードが埋め込まれたコンピュータ読取可能記憶媒体を包含する。コンピュータ読取可能プログラムコードは、第１オブジェクト配置を処置表示画面に提示するように設定されたコンピュータ読取可能プログラムコードであって、第１オブジェクト配置のオブジェクトが処置表示画面で固定状態にある、コンピュータ読取可能プログラムコードと、処置表示画面の再配置操作モードをアクティブ化するように設定されたコンピュータ読取可能プログラムコードであって、第１オブジェクト配置のオブジェクトが、固定状態から、第１オブジェクト配置と異なる第２オブジェクト配置へ第１オブジェクト配置のオブジェクトが再配置されるのを可能にする流動状態へ変更される、コンピュータ読取可能プログラムコードと、再配置操作モード中に処置が実施されるのを防止するように設定されたコンピュータ読取可能プログラムコードと、再配置操作モード中に第２オブジェクト配置を処置表示画面に提示するように設定されたコンピュータ読取可能プログラムコードとを包含する。
【図面の簡単な説明】
【００５４】
本発明概念の実施形態の以上および他の長所は、様々な図で同様の数字が同様の構造的要素および特徴を指す添付図面とともに以下の説明を参照することによって、より良く理解されうる。図面は、必ずしも一定尺度ではなく、むしろ発明の原理を示す際には強調が加えられている。
【００５５】
【図１】本発明概念の実施形態が実践されうる透析システムの概略ブロック線図である。
【図２】一実施形態による透析システム制御パネルにパラメータを表示するための方法を示す流れ図である。
【図３】一実施形態による処置表示画面の画面ショットである。
【図４】一実施形態による、処置表示オブジェクトが流動状態にある時に医療処置が実施されるのを防止するための方法を示す流れ図である。
【図５】一実施形態による、処置表示画面設定をアクティブ化するための方法を示す流れ図である。
【図６】一実施形態による、一組の設定オプションを表示する処置表示画面の画面ショットである。
【図７】一実施形態による、処置ディスプレイでオブジェクトを再配置するための方法を示す流れ図である。
【図８】一実施形態による、処置ディスプレイでのオブジェクトの移動を表示する処置表示画面の画面ショットである。
【図９Ａ】一実施形態による、処置ディスプレイでオブジェクトを融合することによりサブ画面を作成するための方法を示す画面ショットである。
【図９Ｂ】一実施形態による、処置ディスプレイでオブジェクトを融合することによりサブ画面を作成するための方法を示す画面ショットである。
【図９Ｃ】一実施形態による、処置ディスプレイでオブジェクトを融合することによりサブ画面を作成するための方法を示す画面ショットである。
【図９Ｄ】一実施形態による、処置ディスプレイでオブジェクトを融合することによりサブ画面を作成するための方法を示す画面ショットである。
【図１０】一実施形態による表示オブジェクト設定システムのブロック線図である。
【発明を実施するための形態】
【００５６】
さて、発明概念の実施形態が示された添付図面を参照して、実施形態が以下でより詳しく説明される。しかし、本発明は多くの異なる形で具体化されうるものであり、ここに挙げられる実施形態に限定されると解釈されるべきではない。同様の数字は、全体を通して同様の要素を指す。
【００５７】
様々な要素を説明するのに第１、第２等の語が本書で使用されうるが、これらの要素がこのような語により限定されるべきではないことが理解されるだろう。これらの語は、一つの要素を別のものと区別するのに使用されているに過ぎない。例えば、本開示の教示を逸脱することなく、第１要素が第２要素と称され、第２要素が第１要素と称されてもよい。ここで使用される際に、「および／または」の語は、関連して挙げられる物品の一つ以上によるいずれかまたはすべての組み合わせを含み、「／」と短縮されうる。
【００５８】
ある要素が別の要素と「接続される」または「結合される」と言及される時には、他の要素に直接的に接続または結合されるか、介在要素が存在しうる。対照的に、ある要素が別の要素に「直接的に接続」または「直接的に結合」されると言及される時には、介在要素は存在しない。要素間の関係を説明するのに使用される他の単語は、同じように解釈されるべきである（例えば「間に」と「直接的に間に」、「隣接して」と「直接的に隣接して」等）。
【００５９】
ここで使用される用語は、特定の実施形態を説明することのみを目的とし、発明を限定することは意図されていない。ここで使用される際に、単数形の「ａ」、「ａｎ」、および「ｔｈｅ」は、文脈上、他の意味を指すことが明白でない限り、複数形も同じく含むことが意図されている。「ｃｏｍｐｒｉｓｅｓ」および／または「ｃｏｍｐｒｉｓｉｎｇ」、または「ｉｎｃｌｕｄｅｓ」および／または「ｉｎｃｌｕｄｉｎｇ」は、本明細書で使用される時に、記載された特徴、領域、整数、ステップ、操作、要素、および／または構成要素の存在を明示しているが、一つ以上の他の特徴、領域、整数、ステップ、操作、要素、構成要素、および／または以上のグループの存在または追加を除外することはない。
【００６０】
概要において、本発明概念の態様は、処置装置との通信状態にある処置表示画面に表示されるパラメータボタン、ウィンドウ、グラフ、図表、または他のオブジェクトを再配置する能力を透析機械などの医療処置装置の操作者に提供するシステムおよび方法を含む。これは、処置表示オブジェクトの状態を固定状態から流動つまり可動状態へ変更することにより、少なくとも一部において達成される。いくつかの実施形態では、状態は所定の時間に固定から流動へ変更されうる。いくつかの実施形態では、操作者により制御されるインタフェースから発生されるコマンドに応じて状態が変更されうる。いくつかの実施形態では、流動状態での操作中に、処置表示画面は、医療処置、例えば腎臓透析処置または関連の腎不全ケア処置を実施する装置を制御することが防止される。例えば、流動状態での操作中に、処置操作者は、どの処置表示オブジェクトがディスプレイに提示されるかを制御し、ディスプレイでのその相対位置を制御しうる。この特徴は、処置デバイス制御パネルが操作者ごとにカスタマイズされることを可能にする。この特徴は、処置表示画面から処置を実施する時に処置表示オブジェクトが表示される方式に関して個人的な好みを持つ医療技術者、看護士、医師、患者、または他の利用者にとって有益でありうる。この特徴は、カスタマイズされた表示画面設定が好まれる個人用処置システムを含む用途でも有益でありうる。例えば、システムおよび方法は、Ｆｒｅｓｅｎｉｕｓ  Ｍｅｄｉｃａｌ  Ｃａｒｅ  ＡＧ ＆ Ｃｏ．製の２００８Ｋ＠ｈｏｍｅ（登録商標）血液透析送達システムなど、腹膜、可搬式、家庭用、装着式、再生型の透析デバイスに適用されうる。このような用途では、処置表示画面は患者の要件にしたがって予め設定され、操作者ごとに再設定されうる。例えば、異なるホスピス従事者が処置を実施しうることにより、各ホスピス従事者は、個人的な好みにしたがって、または特定タイプの処置についての特定要件に基づく好みにしたがってオブジェクトが配置された処置表示画面を視認できる。
【００６１】
本発明概念は、処置表示画面でボタンまたは他のオブジェクトを再配置することに関して患者安全性を保証する付加的な安全手段を提供する。一実施形態において、ある事象が発生する時または特定の時間帯には、オブジェクト再配置が防止される。例えば、処置クロックが作動している時、血液が検知されている時、または進行中の処置の他のインジケータが検出される時には、オブジェクト再配置が防止されうる。オブジェクト再配置は、停電など、ある機械関連の条件が発生した時、または処置表示画面に表示された処置クロックが再起動される時にも防止されうる。
【００６２】
別の実施形態では、再配置のため処置表示オブジェクトを固定状態から流動状態へ変更するのに、独自の、または特殊なキー順が必要とされる。キー順は入力されると、処置クロックの始動を防止しうる。処置は一般的に処置クロックのアクティブ状態に応じて直接的に実施されるので、オブジェクトが流動状態にある間に利用者が不注意で処置を実施しようとすることが防止されうる。処置表示オブジェクトは、このような再配置に適した所定時間の終了時に、または所定時間中に非アクティブ状態タイムアウトが検出された時に、自動的に固定状態へ戻りうる。代替的に、ディスプレイでのキー順またはコードの入力、ディスプレイでのボタンの起動、または他の決定動作など、操作者による動作に応じて、処置表示オブジェクトは固定状態へ復帰しうる。
【００６３】
図１は、本発明概念の実施形態が実践されうる透析システム１００の概略ブロック線図である。一実施形態において、透析システム１００は、血液透析または関連の手順を実施するための血液透析機械１０４または関連の再生型透析機械を含む。再生型透析システムについて説明するが、本発明概念の実施形態は、非再生型透析システムまたは他の医療処置器具にも等しく適用可能である。
【００６４】
透析手順の間、身体１１８からプラスチックチューブ１２４を通り、血液透析機械１０４へ血液が流れるＥＣＣ１１６が、身体１１８に挿入されたニードル１２０の間に形成される。血液透析機械１０４は、毒素、老廃物、および尿素などの不純物、および／または水分などの過剰体液を血液から除去し、浄化された血液を、静脈カテーテル１２２を介して身体１１８へ出力する透析器または関連の濾過器具を含む。この手順の間、他の監視パラメータのうち、静脈および動脈血圧について、また空気および血液の存在について、ＥＣＣ１１６が監視される。このサイクルは、手順の間、必要に応じて反復されうる。
【００６５】
またこの手順の間に、血液透析機械１０４と透析液システム１１０との間に透析液回路１１４が形成される。透析液システム１１０は、精製水と混合された透析液を血液透析機械１０４の透析器へ出力する。毒素、老廃物、その他は、血液透析機械１０４の半透膜１２６で発生する拡散または浸透作用を介して、透析器で循環血液から透析液へ移送される。老廃物を含有する使用済み透析液は、毒素、老廃物、その他を使用済み透析液から除去することにより透析液を精製する透析液システム１１０の吸着剤カートリッジ（不図示）へ、血液透析機械１０４から出力される。それから精製済み透析液は血液透析機械１０４へ出力されて、サイクルが反復されうる。血液透析機械１０４と透析液システム１１０とは、当業者によく知られており、そのため簡潔性に関連する理由からここでは説明されないポンプ、センサ、フィルタ、その他など、他の要素を含みうる。
【００６６】
ＥＣＣ１１６と、透析液システム１１０および／または血液透析機械１０４を含む透析液回路１１４に、様々なモニタ、計器、センサ、検出器、その他が位置しており、血液および透析液の流量、温度、動脈および静脈圧、透析液の導電性、温度、限外濾過（ＵＦ）制御パラメータを限定的でなく含む安全重視パラメータのアレイを、透析手順の前または間に監視する。
【００６７】
例えば、透析システム１００は、透析液の導電性、温度、ＵＦ流量などを監視するための流入センサ１０６と流出センサ１０８とを透析液回路１１４に含み、その結果が、解析および表示のため事象信号１３８を介して制御パネル１３４へ出力される。別の例において、透析システム１００は、動脈圧モニタ１３０と、静脈圧モニタ１３２と、血液センサ１３６と、関連の検出器とをＥＣＣ１１６に含み、ＥＣＣは、解析および表示のため矢印１３８を介して関連データを制御パネル１３４へ出力する。
【００６８】
制御パネル１３４は、ディスプレイと、キーパッド、タッチパッド、キーボード、および／またはマウスなど他の入力／出力デバイスを含む。ディスプレイは、モニタ、タッチスクリーン、端末、または他の視覚ディスプレイでありうる。ディスプレイは、グラフィカルユーザインタフェースアプリケーション、または一つ以上の処置表示画面、ウィンドウ、その他を生成するための他のプログラムを含みうる。多数の表示画面、ウィンドウ、その他が表示される時に、操作者はその間でスイッチまたはトグルを行いうる。これは例えば、一つの表示画面またはウィンドウについてドラッグ、最小化、または位置の変更を行って、別の表示画面またはウィンドウを主に表示することによって、達成される。操作者は、マウス、キーボード、タッチスクリーンインタフェース、音声認識デバイス、または他の入力デバイスを使用して、医療手順に関連する処置パラメータを、処置表示画面を介して透析システム１００へ入力しうる。透析関連事象情報、例えば透析手順が処置表示画面に表示されて、透析手順その他に関連する事象について透析システム１００を監視する。
【００６９】
図２は、一実施形態による、透析システム制御パネルにパラメータを表示するための方法２００を示す流れ図である。方法２００を説明する際には、図１の透析システム１００の要素も参照する。例えば、方法２００の一部またはすべては、図１に記載された制御パネル１３４で実現されうる。
【００７０】
ブロック２０２では、例えば、制御パネル１３４の表示画面でボタンまたは他の選択特徴を選択することにより、医療処置が中断される。処置表示画面のオブジェクトが再配置されうる所定の時間には処置が開始されないことを保証するため、独自のキー順が提供されうる。
【００７１】
ブロック２０４では、処置表示画面に表示されるオブジェクト、例えば編集ボタン、図表、グラフ、表、その他は、流動または可動状態にあり、再配置されうる。処置表示オブジェクトの状態が流動状態から固定状態へ自動的に移行することにより、処置関連事象が検出される時にはオブジェクト流動性が防止される。例えば、処置表示画面が、透析システム１００の操作モードを透析処置モードとして表示する時には、処置表示オブジェクトは再配置されえない。いくつかの実施形態では、他の操作関連事象が検出される時、例えば、血液センサ１３６がＥＣＣで血液を検出する時、または処置が進行中であるか開始が可能であると他のインジケータが決定した時には、オブジェクト流動性が防止される。処置表示画面は、二つ以上の表示画面またはウィンドウを含みうる。一実施形態では、ここに説明されるシステムおよび方法にしたがって、第１表示画面またはウィンドウの一つ以上の処置表示オブジェクトは、第２表示画面またはウィンドウの処置表示オブジェクトと交換される。別の実施形態では、ここに記載されるシステムおよび方法にしたがって、第１表示画面またはウィンドウの一つ以上の処置表示オブジェクトが別の表示画面またはウィンドウに再配置される。
【００７２】
決定ブロック２０６では、非アクティブ状態タイムアウト期間と呼ばれる所定時間に処置表示オブジェクトの再配置に関して何も作用が発生していないかどうかの決定が行われる。非アクティブ期間にアクティブ状態が発生しない場合には、ブロック２０８で、非アクティブ状態タイムアウト信号が発生され、これに応じて処置表示画面オブジェクトが流動状態から固定状態へ移行する。これは、機械有効性が維持されることを保証する。ここで、操作者は、例えば新規定のオブジェクト配置を使用して、透析手順その他を実施することが許可される。
【００７３】
図３は、一実施形態による処置表示画面３００の画面ショットである。処置表示画面３００は、透析手順などの医療処置に関連する処置パラメータにアクセスして設定するのに使用される。処置表示画面３００は、例えば、画面ボタン３０６、特にホームボタン３１６またはトレンドボタン３１７を押下するか他の方法で起動させることにより選択されるホーム画面に対応する。
【００７４】
いくつかの実施形態では、多数の画面、ウィンドウ、その他が処置表示画面３００に同時に表示され、一つの画面のオブジェクトが別の画面へ移動されて他画面で既存の一組のオブジェクトに追加されうる。代替的に、異なる表示画面の二つ以上のオブジェクトが相互に交換されうる。
【００７５】
処置表示画面３００は、ステータス部３０２と、処置表示部とも呼ばれる処置表示ウィンドウ３０４と、処置表示キーとも呼ばれる上述の画面ボタン３０６とを包含する。
【００７６】
ステータス部３０２は、血液透析機械１０４により実施される操作の間に通知情報を表示するステータスボックス３１２およびダイアログボックス３１４を含む。ステータスボックス３１２は、機械の操作モード、例えば、透析操作が進行中であることを指す透析モード、または透析手順が中断されるか開始が防止されていることを指す透析休止モードを表示する。ダイアログボックス３１４は、血圧読取値などの情報を表示する。異変が発生する、例えば特定の処置パラメータが所定範囲を外れるか、操作者が容認不可能なパラメータ値を入力した時には、ステータスボックス３１２および／またはダイアログボックス３１４がこの事象に対応する通知を表示しうる。例えば、ダイアログボックス３１４は、間違ったパラメータ値が操作者により入力されたことを操作者に通知するメッセージを表示しうる。別の例において、ステータスボックス３１２は、アラーム、警告、例えば検出器、モニタ、その他が異変を検出した時に発せられる低温アラームを表示しうる。いくつかの実施形態では、内容の全体が参照により援用される「透析システムで通知を提供するためのシステムおよび方法」という名称の米国特許出願番号第１３／２９９，７９０号に記載されたシステムおよび方法にしたがって、ステータス部３０２の操作が実施されうる。
【００７７】
処置表示部とも呼ばれる処置表示ウィンドウ３０４は、様々な処置データを視認するための一つ以上の領域、例えば、例として２６０ｍｍＨｇの動脈圧値を表示している数値欄と、動脈圧値をグラフ表示するための対応の垂直棒グラフ３２３とを含む動脈圧表示領域３２２を含む。また、静脈圧表示領域３３６は、例として２６０ｍｍＨｇの静脈圧値を表示している数値欄と、静脈圧値をグラフ表示するための対応の垂直棒グラフ３２４とを含む。処置表示ウィンドウ３０４は、複数のデータボタンまたは他のオブジェクト、特に、例えば限外濾過速度、透析液導電性レベル、その他に関連する処置パラメータを操作者がセットできる処置パラメータボタンも含む。例えば、図３に示されているように、操作者は、処置のＵＦ目標を３０００ｍｌにセットするため、「ＵＦ目標」と記された編集ボタン３５１に、「３０００」のＵＦ目標値を入力できる。
【００７８】
処置表示ウィンドウ３０４は、処置クロックボタン３１８を含む。処置の間、処置クロックボタン３１８は「ＴＸ作動中」メッセージ（不図示）を表示できる。例えば処置クロックボタン３１８を押下することにより処置が中断されると、処置クロックボタン３１８は図のように「ＴＸ休止」メッセージを表示しうる。処置が中断された時には、対応のアドバイスメッセージ「透析休止」がステータスボックス３１２に出現しうる。
【００７９】
画面ボタン３０６は、処置表示画面３０４に表示される様々な処置表示画面に操作者がアクセスして視認することを可能にする。例えば、図３に示されているように、処置表示画面は、ホーム画面ボタン３１６を選択することにより表示されるホーム画面を含みうる。ここではホーム処置表示画面が示され、説明されるが、選択される画面ボタン３０６に基づいて、他の表示画面が表示されうる。例えば、トレンド画面（不図示）は、トレンドボタン３１７を押下することにより、様々な処置進行インジケータを表す一つ以上のグラフを表示しうる。
【００８０】
処置表示ウィンドウ３０４に表示される領域のオブジェクト、例えば、データボタン、グラフ類、および／または画面ボタン３０６は、処置が無効化または中断されるか、他の形で進行中でない時、つまり処置クロックボタン３１８が「ＴＸ休止」メッセージを表示している時に、ボタンその他が処置表示画面３００で再配置されうる流動状態であるように設定されうる。ここで、選択されたオブジェクトを移動させるため処置表示画面３００上の潜在的目的場所を特定する矢印または他のインジケータが表示されうる。例えば、矢印３２８は、棒グラフ３２３を含む動脈圧表示領域３２２と棒グラフ３２４を含む静脈圧表示領域３３６との間に表示されて、表示領域３２２，３３６が水平方向に相互交換されうることを表している。同様に、パラメータボタン表示領域３５１〜３５８に表示される矢印３４２ａ〜３４２ｄは、これらの表示領域が水平方向および／または垂直方向に相互交換されうることを表している。最後に、パラメータボタン３４６と３５４との間に表示される矢印３４２ｅは、これらの表示領域が斜方向に相互交換されうることを表している。
【００８１】
別の例において、矢印３３８は、処置クロックボタン３１８と、棒グラフ３４５を含む透過膜圧表示領域３４４との間に表示されて、処置クロックボタン３１８が透過膜圧表示領域３４４または透過膜圧表示領域３４４に直接的に隣接する領域に移設されうること、または処置クロックボタン３１８と透過膜圧表示領域３４４とが垂直方向に交換されうることを表している。
【００８２】
別の例では、矢印３４２ｅが血液ポンプ速度編集ボタン３４６とＵＦ除去編集ボタン３５４との間に表示されて、血液ポンプ速度編集ボタン３４６とＵＦ除去編集ボタン３５４とが斜方向に交換されうることを表している。付加的に、他のパラメータボタンのいずれかに対して、例えばＵＦレート編集ボタン３５３の上に血液ポンプ速度編集ボタン３４６を移設すると、ＵＦ除去編集ボタン３５４が、元々は血液ポンプ速度編集ボタン３４６を表示していた表示領域へ斜め下方向に移動する結果となりうる。
【００８３】
別の例では、矢印３４２ａがＵＦ目標編集ボタン３５１と透析液流量編集ボタン３５５との間に表示されて、ＵＦ目標編集ボタン３５１と透析液流量編集ボタン３５５とが水平方向に交換されうることを表す。
【００８４】
別の例では、矢印３４２ｂがＵＦ時間編集ボタン３５２と温度編集ボタン３５６との間に表示されて、ＵＦ時間編集ボタン３５２と温度編集ボタン３５６とが水平方向に交換されうることを表す。
【００８５】
別の例では、矢印３４２ｃがＵＦレート編集ボタン３５３と導電性編集ボタン３５７との間に表示されて、ＵＦレート編集ボタン３５３と導電性編集ボタン３５７とが水平方向に交換されうることを表す。
【００８６】
別の例では、矢印３４２ｄがＵＦ除去編集ボタン３５４とＲＴＤ編集ボタン３５８との間に表示されて、ＵＦ除去編集ボタン３５４とＲＴＤ編集ボタン３５８とが水平方向に交換されうることを表す。
【００８７】
別の例では、矢印３４２ｅがＵＦ除去編集ボタン３５４と血液ポンプ速度編集ボタン３４６との間に表示されて、ＵＦ除去編集ボタン３５４と血液ポンプ編集ボタン３４６とが斜方向に交換されうることを表す。
【００８８】
別の例では、矢印３６１がＵＦプロフィールボタン３５９とＳＶＳプロフィールボタン３６０との間に表示されて、ＵＦプロフィールボタン３５９とＳＶＳプロフィールボタン３６０とが水平方向に交換されうることを表す。
【００８９】
いくつかの実施形態では、処置表示オブジェクトが流動状態にあって処置表示画面での再配置のために設定される時に、処置クロックボタン３１８が無効化されるか、嵌合して処置を開始することが他の形で防止される。処置クロックボタン３１８は、操作者が処置を開始するための一次制御インタフェースであるので、オブジェクト配置の間に画面上のボタン３１８を無効化することは、この再設定中に処置のアクティブ化または再アクティブ化を防止する有効な手法である。
【００９０】
本発明概念の実施形態は、さもなければ患者の安全性が損なわれうる処置中のこのような再配置を操作者が偶然に実施しないことを保証する、ここで説明される安全手段のような付加的な安全手段も提供する。
【００９１】
図４は、一実施形態による、処置表示オブジェクトが流動状態にある時に医療処置が実施されるのを防止するための方法４００を示す流れ図である。方法４００を説明する際に、図１の透析システム１００および／または図３の処置表示画面３００の要素も参照される。例えば、方法４００の一部またはすべてが、図１に記載された制御パネル１３４で実現されうる。別の例では、図３に関して説明されたオブジェクトの再配置が方法４００にしたがって実施されうる。
【００９２】
ブロック４０２では、ボタンなどの処置表示オブジェクトが処置表示画面３００で再配置されるのを可能にするためのキー順が、制御パネル１３４に入力されうる。キー順は、制御パネル１３４に提示される表示画面の欄（不図示）へ入力される、パスワードに類似した文字または他の記号を含みうる。代替的に、例えば制御パネル１３４との通信状態にあるキーパッド（不図示）を使用して、特殊な制御パネルキーを介してキー順が入力されうる。
【００９３】
ブロック４０４では、例えば処置クロックボタン３１８を非アクティブ化することにより処置クロックが無効化される。このようにして、操作者が処置クロックボタン３１８を押下するかどうかに関係なく、透析手順が開始されえない。処置クロックボタン３１８は、処置クロックが無効化されている所定時間に、「ＴＸ休止」メッセージまたは「ＴＸ無効化」メッセージなどの関連メッセージを表示しうる。
【００９４】
ブロック４０６では、ボタン、図表、その他などのオブジェクトの再配置が操作者によって実施されうる。例えば、オブジェクト再配置操作の間に、図３に示された動脈圧棒グラフ３２３と静脈圧棒グラフ３２４とが相互に交換されるか、処置表示画面３００上に他の形で再配置される。
【００９５】
一実施形態において、図２を参照すると、例えば操作者により何の再配置も発生しない時には、処置クロックが無効化される所定期間の中で非アクティブ期間が検出されうる。例えば、非アクティブ状態の期間が所定期間を越えた時点で、再配置が許可される流動状態から固定状態へ処置表示オブジェクトの状態を変更する非アクティブ状態タイムアウトパラメータが実行されうる。処置クロックはその後、処置表示オブジェクトが固定状態に復帰する時に有効化される。固定状態への復帰時に、操作者は、処置クロックボタン３１８を選択して処置を開始または再開する。
【００９６】
ブロック４０８では、選択されたオブジェクトが近傍のオブジェクトと重複するかこれを隠すことのないように、新たに移設されたオブジェクトを囲繞する第２場所にある近傍のオブジェクトが位置変更される。矢印または他のインジケータが、新たに移転されたオブジェクトが第２場所へ移動される時に周囲のオブジェクトがどのような影響を受けるかを操作者に示す。
【００９７】
図５は、一実施形態による、処置表示画面設定をアクティブ化するための方法５００を示す流れ図である。方法５００を説明する際に、図１の透析システム１００の要素も参照にされる。例えば、方法５００の一部またはすべてが、図１に記載された制御パネル１３４で実現されうる。図６は、方法５００による一組の設定オプションを表示する処置表示画面６００の画面ショットである。したがって、方法５００を説明する際に、処置表示画面６００の要素も参照される。
【００９８】
ブロック５０２において、操作者は、制御パネル１３４で異なる処置表示画面設定６２２，６２４，６２６，６２８に関するオプションのリストにアクセスできる。各設定は、処置表示画面６００に異なる配置のオブジェクトを含みうる。例えば、操作者は、設定Ａとも呼ばれる第１設定６２４を提供しうる。独自の設定の一例は、図３に示された処置表示画面３００のコンテンツの配置でありうる。操作者は、ここで説明される方法にしたがって処置表示画面３００のオブジェクトを再配置することにより、設定Ｂとも呼ばれる処置画面６００の第２設定６２６を形成しうる。処置表示画面６００でのオブジェクトの再配置の間に操作者が所望の設定を特定するたびに、例えば、オブジェクトが流動状態にある所定時間の終了時に、キー順を入力することにより、またはディスプレイ６００に提示される保存ボタンを選択することにより、操作者は設定を保存しうる。例えば、第１設定６２４と第２設定６２６とが操作者により保存され、メモリデバイス、例えば図１０を参照して説明される設定レポジトリ１００８に記憶される。
【００９９】
デフォルト設定６２２も、メモリデバイスに記憶されうる。デフォルト設定６２２は、「独創的」設定など、透析システム１００の製造者により提供される設定にしたがって、ハードコードされうる、例えば制御パネル１３４で自動的に生成されうる。
【０１００】
ブロック５０４では、透析システム１００の条件の変更が検出される。これは、血液透析機械１０４に関連する故障、システムパワーダウン、停電、その他を含みうる。他の条件は、新たな処置、または制御パネル１３４の処置クロックボタンの再起動を含みうる。条件が発生した後、処置クロックボタンが最初に提示される。処置クロックボタンは、図２〜４に関して説明された処置クロックボタンに類似したものでありうる。処置クロックボタンは処置表示画面６００に表示されるが、続いて処置表示画面６００に表示される後述のリマインダウィンドウ６３０に隠されるため、図６には示されていない。したがって、ブロック５０６では、処置クロックボタンを表示しているタッチスクリーンの領域を押すことにより、またはマウスを使用して処置クロックボタンの上でカーソルを動かすことにより、または当業者に周知の関連技術を適用することにより、処置クロックボタンがオペレータによって選択されうる。
【０１０１】
各設定６２４，６２６，６２８は、独自の操作者に対応するオブジェクト配置に対応しうる。例えば、設定Ａ６２４は看護士にとって好ましいオブジェクト配置を含むのに対して、設定Ｂ６２６は患者にとって好ましいオブジェクト配置を含みうる。
【０１０２】
ブロック５０８では、停電、処置再起動、その他などの事象に応じて、またさらに処置クロックのアクティブ化に応じて、リマインダウィンドウ６３０が生成される。リマインダウィンドウ６３０は、一組の利用可能な設定オプションを含む。リマインダウィンドウ６３０は、方法６００に記載されているような透析システム１００の条件の変更に応じて表示されうる。他の実施形態では、現在の設定が望ましくないと判断された時、例えば新たな患者や看護士が現在の設定を望ましくないことに気付いた場合に、リマインダウィンドウ６３０が提示される。リマインダウィンドウ６３０は、現在の設定、例えば設定Ａが望ましくないと見なされた時に操作者が選択するための他の設定オプション、例えば設定Ｂを提供するように表示される。いくつかの実施形態では、例えば、設定レポジトリ１００８に記憶される履歴情報に応じて提案されるように、提案される設定が指示されうる。代替的に、血液透析機械１０４はデフォルト表示画面設定６２２へ自動的に復帰しうる。
【０１０３】
リマインダウィンドウ６３０は、現在の設定、つまり設定Ａを示すように表示されるリマインダメッセージ６３２を含みうる。リマインダウィンドウ６３０は、現在実行されている設定に関する情報、例えば現在の設定である設定Ａが最後に使用された日時を表示するメッセージ６３４も表示しうる。他の設定、例えば最も人気があるか最も使用されている設定も特定されうる。
【０１０４】
ブロック５１０では、例えばキーを選択することにより、設定オプション６２２、６２４，６２６，６２８の中から設定が選択されうる。制御パネル１３４は、何の動作も取られない場合にデフォルト設定６２２へ自動的に復帰するように設定されうる。操作者などの視認者にこの情報を提供するメッセージ６３６が、制御パネル１３４に表示されうる。
【０１０５】
図７は、一実施形態による、処置表示画面でオブジェクトを再配置する方法７００を示す流れ図である。方法７００を説明する際に、図１〜６の要素も参照される。方法７００の一部またはすべてが、例えば図１に記載された制御パネル１３４で実現され、図３を参照して図示および説明された処置表示画面３００に適用されうる。
【０１０６】
ブロック７０２では、処置表示画面の第１位置のオブジェクトが選択される。オブジェクトは、ボタン、アイコン、ウィンドウ、グラフ、または他の表示画像として表示される離散オブジェクトでありうる。処置表示画面は、透析システム制御パネル１３４、または医療処置の実施に使用される他の端末、モニタ、タッチ画面、その他に提示されうる。オブジェクトは、選択されたオブジェクトの上にマウスカーソルを位置決めすることにより、または処置表示画面上の場所、例えばタッチスクリーンに物理的な圧力を印加することにより、または音声認識や他の適当な技術など、表示されたオブジェクトを移動させるための他の周知の技術を実施することにより、選択されうる。
【０１０７】
ブロック７０４では、処置表示画面オブジェクトが流動状態に置かれて、表示されたオブジェクトが処置表示画面の異なる領域へ移動されることを可能にする。ここで、再配置操作モードが処置表示画面でアクティブ化されうる。特殊なキーまたは他のロック解除シーケンスや関連のセキュリティ特徴を制御パネル１３４で入力することにより、処置表示画面上のいくつかまたはすべてのオブジェクトがロック解除される、つまり固定状態から流動状態へ変更されうる。いくつかの実施形態では、オブジェクトの部分集合が流動状態に置かれうる。特殊なキーまたはロック解除シーケンスを包含する記号その他を入力するためのウィンドウ、編集ボタン、または他の欄が処置表示画面に表示されうる。再配置操作モードのアクティブ化に応じて、選択されたオブジェクトが処置表示画面で再配置される、例えば、処置表示画面の別の場所へ移動されるか、ボタン、グラフ、または他のオブジェクトと交換されうる。オブジェクトが流動状態にある間に医療処置が開始されるか他の方法で実施されることのないように、再配置モードでの操作中には処置クロックの始動が防止される。
【０１０８】
ブロック７０６では、選択されたブロックが、ロック解除の後で、処置表示画面の第２位置へ移動されうる。第２位置への再配置の間、オブジェクトは、近傍のオブジェクトと区別されるように視覚的に修正され、例えば拡大されうる。操作者は、オブジェクトをどこに移動させるかの指示を受け取り、例えば、選択されたオブジェクトについて処置表示画面上の潜在的目的地を特定する矢印または他のインジケータにより視覚的に案内される。
【０１０９】
決定ブロック７０８では、表示された選択オブジェクトが別の表示オブジェクトの上に、または近接して位置決めされるかどうかについて決定が行われる。イエスの場合は、次にブロック７１０で対応のサブ画面ボタンが作成されうる。ここで、操作者がサブ画面ボタンの名称を入力できるように空欄が用意される。サブ画面ボタンは、選択されたオブジェクトと他の表示オブジェクトの両方を含むオブジェクトレポジトリを含みうる。追加オブジェクトなど他のコンテンツが、オブジェクトレポジトリに追加されうる。
【０１１０】
ブロック７１２では、ブロック７１０で操作を実施した後に、または表示されたオブジェクトが別の表示オブジェクトの上に位置決めされないとの決定が決定ブロック７０８で行われた場合に、オブジェクト流動性が停止されうる。操作者が、処置表示画面に対して行われる変更を完了したかどうかを確認するダイアログメッセージが処置表示画面に出現しうる。ここで、操作者は、すべての変更が行われたことを確認するため確認キーその他を選択しうる。したがって、処置クロックが続いてアクティブ化されて、医療処置を開始する能力を操作者に与える。
【０１１１】
図８は、ＵＦ除去ボタン８２２およびＵＦレートボタン８２６が処置表示画面８００上で移動されている画面ショットである。ＵＦ除去ボタン８２２およびＵＦレートボタン８２６の垂直方向の再配置は、図３に示されたこれらの位置に対して発生しうる。図３に関して説明された処置表示画面３００の様々な特徴は、処置表示画面８００に等しく適用されうるもので、そのため簡潔性のため反復されない。ホーム画面ボタン８１６を選択することにより処置表示画面８００が表示されうる。しかし、ここで説明される実施形態のシステムおよび方法は、他の表示画面、例えば、トレンド画面ボタン８３１が選択された時にはグラフを表示するトレンド画面（不図示）、または一つ以上の他のボタン８３２〜８３７が選択された時には他の画面に適用されうる。
【０１１２】
処置表示ウィンドウ８０４は、処置表示画面８００に提示される。ここで、操作者または他の利用者は、ボタン８２２が流動状態にある時にＵＦ除去ボタン８２２を選択して、処置表示画面８００の異なる場所へボタン８２２を移動させうる。特殊なキー順または他のアクティブ化特徴が生成されて、ＵＦ除去ボタン８２２を固定状態から流動状態へ変更する。処置クロックボタン８１８は、「ＴＸ休止」ステータスメッセージ、または透析処置が現在実施されていないことを示す類似のメッセージを表示しうる。処置クロックボタン８１８はアクティブ化されない、つまり「ＴＸ作動中」ステータスに変更されず、そのため、処置が開始されず、ボタン８２２は流動状態のままである。
【０１１３】
利用者がボタン８２２を異なる場所へ移動させ始める時に第１矢印８２７が表示されて、ボタン８２２にとって可能な場所、例えばＵＦ時間ボタン８２４とＵＦレートボタン８２６との間の場所Ａを示す。第２矢印８２８も、場所Ａへのボタン８２２の配置時に、続いて周囲のオブジェクトに起こる影響を表すように表示されうる。矢印８２８は、例えば、ＵＦレートボタン８２６が、ＵＦ除去ボタン８２２の可能目的地Ａに近接した領域にあって、ＵＦ除去ボタン６２２が位置Ａへ移動された場合に場所Ｂへ移動されることを示すように表示されうる。
【０１１４】
ボタン８２２が処置表示画面８００上で移動されると、ボタン８２２と、ボタン８２２の再配置により影響を受ける他の表示オブジェクトとの新しい場所を表すように、矢印が変更されるか継続的にリフレッシュされうる。いくつかの実施形態では、表示される矢印は、システム推奨のオブジェクト位置変更に対応しうる。例えば、このような推奨は、オブジェクト相互の近接を保証するためオブジェクトの相関関係についての所定の判断に基づきうる。いくつかの実施形態では、このような推奨は患者安全性に基づきうる。いくつかの実施形態では、矢印推奨は、操作者入力に応じて操作者により上書きされうる。いくつかの実施形態では、矢印推奨はディスプレイに表示されず、オブジェクトが制約なく、例えば「フリーフォーム」フォーマットで、処置表示画面のいかなる領域にも再配置されうる。
【０１１５】
ボタン８２２が位置Ａへ移動された後、またボタン再配置が完了したと決定された後で、ディスプレイは固定モードから流動モードへ復帰しうる。固定モードへの復帰に続いて、透析手順その他が実施されうるように、処置クロックボタン８１８および／または確認キーなどの特殊キー順がアクティブ化されうる。
【０１１６】
一実施形態において、処置表示画面８００はＮ×Ｍの表示マトリクスとして配置され、Ｎは横列の数を指し、Ｍは縦列の数を指す。各表示オブジェクトは、特定の横列および特定の縦列により規定されるセルに設置されうる。オブジェクトが表示マトリクスの元の場所、例えば第１セルから、表示マトリクスの新しい場所、例えば第２セルへ移動される時には、表示マトリクスの元の場所に空所が作成される。以下のアプローチにしたがって１つ以上の他の表示オブジェクトで空所が満たされうる。
【０１１７】
オブジェクトの元の場所および新しい場所の縦列および横列が決定される。オブジェクトの元の場所と新しい場所との間の関係が決定される。例えば、第１セルなど、オブジェクトの元の場所が第２セルなどオブジェクトの新しい場所から所定数の横列および／または縦列にあるとの決定が行われうる。表示マトリクスでのオブジェクトの新しい場所が元の場所の縦列の左に設置されている縦列にある場合には、新しく作成された空所の第１セルに隣接する一つ以上のオブジェクトが、オブジェクトが最初に設置されていた空所領域つまり第１セルを埋めるように処置表示画面の右に移動される。したがって、オブジェクトが移設される第２セルへ空所領域が縦列単位でシフトされる。それから、前に第２セルを占めていたオブジェクトが第２セルの右に設置された異なるセルへシフトされるので、空所領域が第２セルに形成される。オブジェクトは新しい空所の第２セルに位置決めされうる。
【０１１８】
別の実施形態では、表示マトリクスでのオブジェクトの新しい場所は、オブジェクトの元の場所の縦列の右に設置された縦列にある。ここで、新しく設置されたオブジェクトに隣接する一つ以上のオブジェクトが処置表示画面の左へ移動されて、オブジェクトが元々設置されていた空所領域を埋める。したがって、オブジェクトが移設されるセルに空所領域が位置決めされるまで、空所領域は元の場所の右方向に縦列単位でシフトする。オブジェクトは新しい空所セルに位置決めされる。
【０１１９】
別の実施形態では、表示マトリックスでのオブジェクトの新しい場所は、オブジェクトが元々位置決めされていたセルの上に設置された横列にある。図８には一例が図示されており、ここでＵＦ除去ボタン８２２が場所Ａへ移動される。ＵＦ除去ボタン８２２とＵＦレートボタン８２６とは、表示マトリクスの同じ縦列にある。しかし、目的場所Ａは、ＵＦ除去ボタン８２２の元の場所つまり場所Ｂの横列よりも高い、表示マトリクスの横列に設置される。ここで、隣接のオブジェクトつまりＵＦレートボタン８２６は、処置表示画面８００で下へ移動されて、ＵＦ除去ボタン８２２が元々設置されていた場所Ｂの空所領域を埋めて、ＵＦ除去ボタン８２２が場所Ａの新しい空所領域に位置決めされるようにする。別の実施形態では、オブジェクトの新しい場所が元の場所の下の横列にある時に、オブジェクトが類似の方式で再配置されうる。
【０１２０】
上で説明された実施形態では、処置表示画面の異なる横列または異なる縦列へオブジェクトが移動される。他の実施形態では、異なる横列および異なる縦列へ、例えば処置表示画面の左下位置から処置表示画面の右上位置へ移動されるオブジェクトに、上で説明されたアプローチが等しく適用される。
【０１２１】
他の実施形態では、例えば、処置表示画面の異なる場所へ移動されるオブジェクトによって前に占められていた新しい空所領域の上または横に直接的に隣接しているオブジェクトはない。そのため、空所領域に直接隣接するオブジェクトで空所領域が満たされていない。ここでは、空所領域の斜方向にあるオブジェクトが、空所領域に移設されうる。オブジェクトを上下左右へ動かすことに関する上述のアプローチは、斜方向のオブジェクトによって前に占められていた領域を満たすように適用されうる。別の実施形態では、例えば、オブジェクトが移設される空所を作成することができないために、処置表示画面の別の場所へ移動されないオブジェクトは、固定状態から流動状態に入ることを防止される。これは、処置表示画面の再配置操作モードを非アクティブ化することにより達成されうる。
【０１２２】
図９Ａ〜９Ｄは、一実施形態による処置表示画面９００でオブジェクトを融合することによるサブ画面の形成を示す画面ショットである。これは、図１に記載された制御パネル１３４で方法７００の一部またはすべてを実現することにより達成されうる。いくつかの実施形態では、オブジェクトの融合は、フォルダオブジェクトまたはサブ画面オブジェクトへの共通データパラメータまたは共通テーマのオブジェクトの融合またはグループ分けに対応する。図９Ａ〜９Ｄに示されているように、いくつかの実施形態では、オブジェクトはパラメータまたは編集ボタンでありうる。オブジェクトは代替的に、棒グラフ、図表、その他の形を取りうる。オブジェクトは処置表示画面９００で再配置されうる。同じタイプの二つ以上のオブジェクトが相互に融合されうる。例えば、ＵＦレートボタン９２８およびＵＦ時間ボタン９２４は図のように融合されうる。
【０１２３】
図９Ａでは、ここに記載される実施形態により、ディスプレイが固定状態から流動状態へ変更される。ＵＦ除去ボタン９２２の移動の間に、ＵＦ除去ボタン９２２とＵＦ時間ボタン９２４との間にコネクタ９２７が表示され、ＵＦ除去ボタン９２２がＵＦ時間ボタン９２４の上に位置決めされるうることと、ＵＦ除去ボタン９２２とＵＦ時間ボタン９２４とがサブフォルダで一緒にグループ分けされるとの指示を操作者に与える。
【０１２４】
図９Ｂでは、処置表示画面９００でＵＦ除去ボタン９２２が融合のためＵＦ時間ボタン９２４の上に置かれた時に、サブ画面ボタン編集画面９３０が処置表示画面９３０に提示される。画面９３０は、利用者がデータ、コマンド、または他の入力を、プロセッサにより実行されるアプリケーションを制御パネル１３４で入力することを可能にする仮想キーボードを含む。代替的に、独立したキーボード、キーパッド、音声認識インタフェース、その他が、データその他を入力するため画面９３０との通信状態にありうる。編集可能ボタン９３２Ａも表示されうる。仮想キーボードは、ボタン９３２Ａを名称変更するのに使用されうる。例えば、図９Ｃに示されているように、利用者は、「ＵＦオプション」と付けられたサブ画面ボタン９３２Ｂを作成するのにキーボードを使用して、文字、数字、または他の記号を欄９３２Ｂに入力しうる。
【０１２５】
図９Ｄにおいて、ＵＦオプションサブ画面ボタン９３２Ｂが選択され、サブ画面ボタン９３２Ｂのコンテンツ、すなわちＵＦ時間ボタン９２４およびＵＦ除去ボタン９２２が表示されうる。他のオブジェクトが、サブ画面ボタン９３２Ｂ、例えばＵＦ目標ボタン９３４が追加されうる。サブ画面ボタン９３２Ｂが作成された後に、またボタン再配置が完了したとの決定の後に、ディスプレイは固定モードから固定モードへ復帰しうる。固定モードへの復帰に続いて、解析手順その他が実施されうるように、処置クロックボタン９１８および／または特殊なキー順、例えば確認キーがアクティブ化されうる。
【０１２６】
いくつかの実施形態では、このようなサブ画面ボタン９３２Ｂの選択および表示は、処置適用中に実施されるように有効化されうる。いくつかの実施形態では、サブ画面ボタン９３２Ｂのこのような選択および表示は、処置操作中には無効化されうる。
【０１２７】
図１０は、一実施形態による表示オブジェクト設定システム１０００のブロック線図である。ここに記載されるシステムおよび方法に関連する操作の一部またはすべては、表示オブジェクト設定システム１０００で実施されうる。表示オブジェクト設定システム１０００は、所望のアーキテクチャに基づいていくつかの異なる設定のいずれかで実現されうる複数の電算ユニットまたはモジュールを含む。例えば、電算ユニットは、一つ以上のプロセッサおよび／または他のファームウェアまたはハードウェアにおいて、またはこれらと関係して作動するソフトウェアモジュールを包含しうる。表示オブジェクト設定システム１０００は、ここに記載される制御パネル１３４の一部でありうる。代替的に、表示オブジェクト設定システム１０００は、制御パネル１３４、血液透析機械１０４、および／または当業者に周知の医療装置から分離されてこれらとの通信状態にある。
【０１２８】
本実施形態による表示オブジェクト設定システム１０００は、バスおよび／またはデータコネクタ（不図示）、例えば周辺コンポーネント相互接続（ＰＣＩ）バスを介して相互に通信しうるオブジェクト状態決定モジュール１００２、オブジェクト状態修正モジュール１００４、キー順プロセッサ１００６、設定レポジトリ１００８、タイムアウト非アクティブ状態モジュール１０１０、およびサブ画面オブジェクトジェネレータ１０１２を包含する。
【０１２９】
オブジェクト状態決定モジュール１００２は、一つ以上の処置表示画面オブジェクトから信号を受信して、オブジェクトの現在状態を信号から確定する。特に、オブジェクト状態決定モジュール１００２は、画面オブジェクトが固定状態であるか流動状態であるかを確定する。
【０１３０】
オブジェクト状態修正モジュール１００４は、処置表示画面の再配置操作モードをアクティブ化することにより、画面オブジェクトの状態を固定状態から流動状態へ、またその逆に変更するように設定されている。オブジェクト状態修正モジュール１００４は、キー順プロセッサ１００６により処理される制御パネル１３４の利用者インタフェースで特殊なキー順または他の操作者入力を受け取り、これに応じて、処置表示画面でオブジェクトが再配置されるように、表示される処置表示画面オブジェクトの状態を固定状態から流動状態へ変更しうる。いくつかの実施形態では、処置が開始または再開されるように、表示された処置表示画面オブジェクトが流動状態から固定状態へ復帰しうる。
【０１３１】
タイムアウト非アクティブ状態モジュール１０１０は、画面オブジェクトが流動状態にある時間を追跡する。この時間に、オブジェクトは処置表示画面で再配置されうる。この時間にはまた、制御パネル１３４から医療処置が開始または実施されない。ここで、タイムアウト非アクティブ状態モジュール１０１０は、処置表示画面で処置クロックボタンを非アクティブ化する信号を発しうる。
【０１３２】
設定レポジトリ１００８は、処置表示画面設定を記憶しうる。例えば、第１操作者は、一つの画面設定にしたがって処置表示画面でオブジェクトを再配置しうる。第２操作者は、異なる第２設定にしたがってこれらのオブジェクトを再配置しうる。各画面設定は、操作者による今後の検索およびアクティブ化のため設定レポジトリ１００８に記憶されうる。設定レポジトリ１００８は、揮発性メモリ、例えばＲＡＭその他、および／または不揮発性メモリ、例えばＲＯＭ、フラッシュメモリ、その他を含みうる。メモリは、データを記憶するため当業者に周知の方法および技術に従って実現されるリムーバブルおよび／または非リムーバブルの記憶媒体を含みうる。メモリに記憶されるのは、オペレーティングシステムのプログラムコードなどのプログラムコード、アプリケーション、またはプロセッサにより実行されうる、ここに記載のモジュールを含みうる。
【０１３３】
サブ画面オブジェクトジェネレータ１０１２は、図７の方法７００にしたがい、図９Ａ〜９Ｄに図示されたサブ画面を提供する。
【０１３４】
当業者には認識されるように、本発明概念の態様は、システム、方法、またはコンピュータプログラム製品として具体化されうる。したがって、本発明概念の態様は、完全なハードウェア実施形態、完全なソフトウェア実施形態（ファームウェア、常駐ソフトウェア、マイクロコード等を含む）、またはすべてが概して「モジュール」や「システム」と呼ばれる、ソフトウェアおよびハードウェアの態様を組み合わせた実施形態の形を取りうる。例えば、モジュールは、カスタム回路、ゲートアレイ、ロジックチップのような市販の半導体、トランジスタ、または他の離散コンポーネントを包含するハードウェア回路として実現されうる。モジュールは、フィールドプログラマブルゲートアレイ、プログラマブルアレイロジック、プログラマブルロジックデバイス、その他などのプログラマブルハードウェアデバイスでも実現されうる。
【０１３５】
モジュールは、様々なタイプのプロセッサによる実行のためソフトウェアで実現されうる。特定される実行可能コードのモジュールは、オブジェクト、手順、または機能として構築されうる一つ以上の物理的または論理的なコンピュータ命令のブロックを例として包含しうる。それにもかかわらず、特定モジュールの実行可能コードは、物理的に一緒に設置される必要はなく、論理的に一緒に結合された時にモジュールを包含してモジュールのために記載の目的を達成する、異なる場所に記憶された全く異なる命令を包含しうる。
【０１３６】
実際に、実行可能コードのモジュールは単一の命令であるか多数の命令であり、いくつかの異なるコードセグメントにわたって、異なるプログラムの間で、またいくつかのメモリデバイスに分散されうる。同様に、作動データが特定され、ここではモジュール内に示され、適当な形で具体化されて適当なタイプのデータ構造の中に構築されうる。作動データは単一のデータ集合としてまとめられるか、異なる記憶デバイスを含む異なる場所に分散され、少なくとも部分的にはシステムまたはネットワーク上の単なる電子信号として存在しうる。モジュールは、所望の機能を実施するように作動可能なエージェントを含めて、受動的または能動的でありうる。
【０１３７】
さらに、本発明概念の態様は、コンピュータ読取可能プログラムコードが埋め込まれた一つ以上のコンピュータ読取可能媒体で具体化されるコンピュータプログラム製品の形を取りうる。記憶デバイスは、例えば電子、磁気、光学、電磁、赤外線、または半導体のシステム、装置、またはデバイス、あるいは以上の適当な組み合わせを限定的でなく含みうるコンピュータ読取可能記憶媒体を含みうる。一つ以上のコンピュータ読取可能媒体の組み合わせが利用されうる。コンピュータ読取可能媒体は、コンピュータ読取可能信号媒体またはコンピュータ読取可能記憶媒体でありうる。コンピュータ読取可能記憶媒体の例は以下を含むだろう。一つ以上の電線を有する電気接続、ポータブルコンピュータディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、光ファイバ、ポータブルコンパクトディスクリードオンリメモリ（ＣＤ−ＲＯＭ）、光学記憶デバイス、磁気記憶デバイス、または以上の適当な組み合わせ。本書の文脈において、コンピュータ読取可能記憶媒体は、命令実行システム、装置、またはデバイスによる使用のための、またはこれらと接続されたプログラムを格納または記憶しうる有形媒体でありうる。
【０１３８】
発明概念が特定の実施形態を参照して図示および説明されたが、発明概念の趣旨および範囲を逸脱することなく形状および詳細において様々な変更が行われうることが当業者には理解されるはずである。
【図１】
0006257531.tif 000002
【図２】
0006257531.tif 000003
【図３】
0006257531.tif 000004
【図４】
0006257531.tif 000005
【図５】
0006257531.tif 000006
【図６】
0006257531.tif 000007
【図７】
0006257531.tif 000008
【図８】
0006257531.tif 000009
【図９Ａ】
0006257531.tif 000010
【図９Ｂ】
0006257531.tif 000011
【図９Ｃ】
0006257531.tif 000012
【図９Ｄ】
0006257531.tif 000013
【図１０】
0006257531.tif 000014